(57)【要約】      （修正有）【課題】倒れにくい写真たてであって、縦位置の写真または、横位置の写真の双方ともに対応することができる写真たてを提供する。【解決手段】長辺部２１と短辺部２２とを有する写真Ｐ１を保持するためのフレーム部２０と、フレーム部２０の長辺部２１および短辺部２２に有する固定具と、フレーム部２０を縦位置または横位置に固定するために、フレーム部２０における長辺部２１および短辺部２２に有する前記固定具と着脱可能に係合する被固定具を設けた支え部材と、前記支え部材を所定の角度に保持し、かつ、所定のスペースを有する台部４０と、を具備する写真たて１０である。この写真たて１０は、フレーム部２０と支え部材を着脱可能に構成され、フレーム部２０が台部４０に対して、倒れにくいというものである。【選択図】図１
0003203021.tif 000002
【実用新案登録請求の範囲】
【請求項１】
長辺部と短辺部とを有する写真を保持するためのフレーム部と、
前記フレーム部の長辺部および短辺部に有する固定具と、
前記フレーム部を縦位置または横位置に固定するために、前記フレーム部における長辺部および短辺部に有する前記固定具と着脱可能に係合する被固定具とを設けた支え部材と、前記支え部材を所定の角度に保持し、かつ、所定のスペースを有する台部と、
を具備する写真たて。
【請求項２】
前記台部の下部に、当該台部を支えるために配置した複数の脚部と、を有する請求項１記載の写真たて。
【請求項３】
前記台部の下部に、壁に取り付けるための壁取り付け部と、を配置した請求項１記載の写真たて。
【請求項４】
前記固定具および被固定具をそれぞれ互いに吸着する磁石とした請求項１から３いずれか１項に記載の写真たて。
【考案の詳細な説明】
【技術分野】
【０００１】
本考案は、写真または絵画を収納することができる写真たてに関するものである。
【背景技術】
【０００２】
従来の写真たては、内蔵する写真の周辺を保持する四角形のフレームと、その裏面から前記写真を裏打ちするようにあてがう裏板と、そのフレームを裏から支える支え部とを有するものであって、前記フレームに前記写真を収納可能に構成したものが公知である。
【０００３】
このような写真たては、上記支え部が容易に折りたたまれる構造になっているために倒れ易いものである。そのため、比較的倒れにくい写真たてとして、特開平１０−１３７０８９号公報が開示されている。この発明に係る写真たては、裏側に裏板を定着したフレ−ム中枠を設け、前記フレ−ム中枠の各辺にその上に折り重ねられる開閉板を取り付け、前記開閉板を全部前記フレ−ム中枠上に折り重ねた際に前記開閉板が前記フレ−ム中枠を完全に覆い得る前面枠を構成するようになし、前記開閉板の幅を前記フレ−ム中枠の幅よりも大となるようにして成る写真フレームに、ペン立てないし小物入れの機能を付加したものである。
【０００４】
上記発明は、写真フレームをペン立てないし小物入れで支えたというものであるので、倒れにくいというものである。しかしながら、その写真のみを手にとる場合に、そのペン立てないし小物入れごと持ち上げなければならず、きわめて不便である。また、写真たては、あらかじめ縦位置あるいは横位置に固定されているために、縦位置の写真と横位置の写真のうち飾る写真によって、横位置あるいは縦位置に、そのフレームを変更することができず不便である。
【先行技術文献】
【特許文献】
【０００５】
【特許文献１】特開平１０−１３７０８９号公報
【考案の概要】
【考案が解決しようとする課題】
【０００６】
本考案は前記の点に鑑みなされたもので、その課題は、倒れにくい写真たてであって、縦位置の写真または、横位置の写真の双方に対応することができる写真たてを提供することを目的とする。
【課題を解決するための手段】
【０００７】
前記の課題を解決するため、第１観点の写真たては、長辺部と短辺部とを有する写真を保持するためのフレーム部と、前記フレーム部の長辺部および短辺部に有する固定具と、
前記フレーム部を縦位置または横位置に固定するために、前記フレーム部における長辺部および短辺部に有する前記固定具と着脱可能に係合する被固定具とを設けた支え部材と、前記支え部材を所定の角度に保持し、かつ、所定のスペースを有する台部と、を具備するというものである。
【０００８】
また、第２観点の写真たては、第１観点において、台部の下部に、その台部を支えるために配置した複数の脚部と、を有するというものである。
【０００９】
また、第３観点の写真たては、第１観点において、台部の下部に、壁に取り付けるための壁取り付け部と、を配置したというものである。
【００１０】
また、第４観点の写真たては、第１観点から第３観点において、固定具および被固定具をそれぞれ互いに吸着する磁石としたというものである。
【考案の効果】
【００１１】
本考案は、縦位置の写真または、横位置の写真の双方に対応することができ、倒れにくい写真たてを提供することができる。
【図面の簡単な説明】
【００１２】
【図１】第１の実施例における写真たてについてフレーム部を横位置にした場合の斜視図である。
【図２】同様に、Ａは写真たての正面図、Ｂは平面図である。
【図３】同様に、Ａは写真たての側面図、図２ＡのＩＩＩＢ−ＩＩＩＢ線断面図である。
【図４】同様に、Ａはフレーム部の正面図、Ｂは裏面図．Ｃは、ＡのＩＶＣ−ＩＶＣ線断面図である。
【図５】同様に、台部の斜視図である.
【図６】第１の実施例における写真たてについて写真を縦位置にした場合の斜視図である。
【図７】Ａは、第２実施例におけるフレーム部を横位置にした写真たての正面図、Ｂは側面図、Ｃは、ＡにおけるＶＩＩＣ−ＶＩＩＣ線断面図である。
【図８】Ａは、第３実施例におけるフレーム部を縦位置にした写真たての正面図、Ｂは側面図、Ｃは、ＡにおけるＶＩＩＩＣ−ＶＩＩＩＣ線断面図である。
【図９】固定具を２個ずつ付けたフレーム部の裏面図である。
【考案を実施するための最良の形態】
【００１３】
以下図示の実施形態を参照して第１実施例を説明する。第１実施例に係る写真たて１０は、フレーム部２０と支え部材３０と台部４０とを有する。フレーム部２０は、長辺部２１、２１と短辺部２２、２２と、を有し、かつ長方形を呈するフレーム本体２３と、前記フレーム本体２３の開口部２４よりもその面積が大なる裏部材２５と複数の止め具２６とを有するものである。この止め具２６は回転可能に軸止されている。このような構成のフレーム部２０に写真Ｐ１を入れて、上記裏部材２５によって裏打ちするように配置して写真Ｐ１を収納するように構成されている。また、裏部材２５は、フレーム本体２３よりもその面積が小であり、その形状は当該フレーム部本体２３における外形と相似している。また、透明部材２８を配置することができ、これはガラスまたは、透明の合成樹脂を使用することができる。
【００１４】
上記フレーム本体２３に、横位置の写真Ｐ１を入れた後に前記裏部材２５を取り付け、その後に、それぞれ複数の止め具２６を軸２６ａ回りに回転するようにして、この裏部材２５を固定する。
【００１５】
また、上記長辺部２１、２１のいずれか一方または双方に固定具２７ａを配置している。さらに、短辺部２２、２２のいずれか一方または双方に固定具２７ｂを配置している。この固定具２７ａと固定具２７ｂは、後述する支え部材３０と、フレーム部２０を固定するためのものであり、磁石を使用することができる。尚、この固定具２７ａと固定具２７ｂとをそれぞれ２個づつ配置することができる。フレーム部２０の大きさによってその重量に耐えるためである（図７Ａ、図８Ａ、図９参照）。また、固定具２７ａと固定具２７ｂとをそれぞれ面ファスナーにおけるフック状に起毛された側または、ループ状に密集して起毛された側としてもよい。
【００１６】
台部４０は、台部本体４１と脚部５０、５０を有するものである。台部本体４１は、コップや水差しを置くことができるように所定の幅、奥行きを有するものである。本実施例よれば、幅３２センチメートル、奥行き１７センチメートルである。このように、そのフレーム部２０に記憶にとどめたい写真を飾る場合において、台部４０に、お供え物を置くことができるので簡易的な祭壇として使用することができる。
【００１７】
前記脚部５０、５０は、台部本体４１を支えるものであり、台部本体４１の手前側から奥行き方向に配置されている。また、前記脚部５０、５０は所定の長尺状を呈し、平行に配置されている。また上記フレーム部２０を、台部４０から取り外した場合に、そのフレーム部２０を、前記脚部５０と脚部５０の間に収納するようにしても好ましい。
【００１８】
支え部材３０は、前記台部４０の正面視ほぼ中央かつ、奥まった部分に配置されている。また側面視において、その支え部材３０が斜め後方に傾斜するように配置するために、台部本体４１に穴部４１ａを設け、その穴部４１ａに、この支え部材３０が嵌合するように配置されている。この穴部４１ａは、台部４０に対して垂直であってもよいが、所定の角度に配置することが好ましい。所定の角度とは、台部４０に対して９０度以下であり７０度以上が好ましく、８０度が好ましい。この角度であれば、振動を与えても比較的フレーム部２０が倒れにくいためである。また、支え部材３０は上記の位置に配置されているため、上記フレーム部２０を支える場合は、当該フレーム部２０の背面にのみ接し、正面から視て、この支え部３０は、隠れている構成である。したがって、台部４０において、フレーム部２０を配置したとしてもその前面４５に所定のスペースが生じるので、上記のとおり飾りや花瓶類、飲み物を入れるグラス類を置くことができ、簡易的な祭壇としても使用することができる。
【００１９】
また前記支え部３０に被固定具３１を配置する、上記のとおり、上記長辺部２１、２１のいずれか一方または双方に配置した固定具２７ａと、または、短辺部２２、２２のいずれか一方または双方に配置した固定具２７ｂと、それぞれ脱着可能に配置するためである。このように固定具２７ａと被固定具３１として、互いに吸着する磁石を配置すれば、好ましい。また、この磁石は互いに、２個づつ配置することもできる。フレーム部２０と支え部材３０と台部４０を大きなものにした場合にその、フレーム部２０の重量を支えるためである。また、固定具２７ａまたは固定具２７ｂと、脱着可能に配置する被固定具３１をそれぞれ面ファスナーにおけるループ状に密集して起毛された側またはフック状に起毛された側としてもよい。
【００２０】
上記第１実施例の写真たて１０を使用する場合は、フレーム本体２３内に横位置の写真Ｐ１を配置する。この写真はいわゆる横位置のみならず縦位置の写真Ｐ２をそれぞれ配置することができる。それから、上記裏部材２５によって前記写真をフレーム本体２３に配置し、複数の止め具２６をそれぞれ、回動させることによって、写真Ｐ１あるいはＰ２を収納しつつ前記裏部材２５をフレーム本体２３に固定する。
【００２１】
フレーム２０内に収納する写真が、横位置かまたは縦位置かによって、フレーム部２０を横位置または縦位置にするかを選択する。横位置の写真Ｐ１の場合には、上記固定具２７ａと、支え部材３０に配置されている被固定具３１とに着脱可能に固定するように配置する。この場合において、上記固定具２７ａと、被固定具３１とを互いに吸着するような磁石をそれぞれ配置すれば、それらを着脱可能に配置することができる（図１参照）。
【００２２】
フレーム２０内に収納する写真が、縦位置の写真Ｐ２の場合には、上記固定具２７ｂと、支え部材３０に配置されている被固定具３１とに着脱可能に固定する。この場合において、上記固定具２７ｂと、被固定具３１とを互いに吸着するような磁石をそれぞれ配置すれば、それらを着脱可能に配置することができる（図６参照）。
このように、上記固定具２７ａまたは、上記固定具２７ｂを、支え部材４０に配置されている被固定具３１と、いったん取り外した後であっても、再び台部３０に固定すれば、容易にフレーム部２０を、当該台部３０における所定の位置に載置することができる。
【００２３】
また、第２の実施例の写真たて１０Ａは、フレーム部２０Ａと支え部材３０Ａと台部４０Ａを有する。上述の第１実施例の写真たて１０との相違は、フレーム部２０Ａにおいては固定具２７ａと固定具２７ｂとをそれぞれ２個づつ配置したことである。また、それとともに支え部材台部３０Ａについても被固定具３１、３１を２個づつ配置したものである。さらに、台部４０に対して脚部５０、５０を取り除いたという構成である。したがって、その他の構成は第１実施例の写真たて１０と同一であるので、その同一の構成には同じ符号を付しその説明を省略する。
【００２４】
また、第３の実施例の写真たて１０Ｂは、フレーム部２０Ａと支え部材３０Ａと台部４０Ｂを有する。上述の第２実施例の写真たて１０Ａとの相違は、台部４０Ａに対して壁取り付け部６０を取り付けたという構成である。壁取り付け部６０は、台部本体４１に対して、奥行き部４２に対して、面一となるように、かつ、台部４０ｂの長手方向に沿うように配置し、固定する。壁取り付け部６０には、公知の壁固定具６１、６１を配置する。この壁固定具６１、６１にはそれぞれ、穴部６１ａ、６１ａが配置されている。従って、図示しない釘をその、穴部６１ａ、６１ａを通し、その釘の頭を、凹部６１ｂ、６１ｂに、引っ掛けるようにして、写真たて１０Ｂを壁に固定する。
【００２５】
また、第２の実施例の写真たて１０Ａは壁に掛けることができる。すなわち、図示しない複数のＬ字状の金具を壁の取り付け、それに乗せるように、この写真たて１０Ａを固定することができる。
【００２６】
また、第３の実施例の写真たて１０Ｂも、壁に掛けることができる。すなわち、上述の通り、壁に図示しない複数の釘、ねじを取り付ける。この複数のねじをそれぞれ、壁固定具６１、６１における穴部６１ａ、６１ａに引っ掛けるようにすればこの写真たて１０Ｂを固定することができる。
【００２７】
このように、第１実施例の写真たて１０は空いたスペースに配置することができるとともに、第２の実施例の写真たて１０Ａおよび第３の実施例の写真たて１０Ｂは、壁に掛けることができるので、壁における空いたスペースをも活用することができる。また、第１実施例の写真たて１０と同様に、第２実施例の写真たて１０Ａおよび第３実施例の写真たて１０Ｂのそれぞれの台部４０、４０Ａ、４０Ｂにおいて、フレーム部２０を配置したとしてもその前面４５に一定のスペースが生じるので、上記のとおり飾りや花瓶類または飲み物を入れるグラス類を置くことができ、壁に掛けた状態で簡易的な祭壇としても使用することができる。また、第１実施例の写真たて１０、第２の実施例の写真たて１０Ａおよび第３の実施例の写真たて１０Ｂともに樺材を使用することができるので、インテリアとしての質感を保つことができる。また、写真のみならず、横位置の絵画または縦位置の絵画を収納できることは言うまでもない。
【符号の説明】
【００２８】
１０、第１実施例の写真たて
１０Ａ、第２実施例の写真たて
１０Ｂ、第３実施例の写真たて
２０、２０Ａ、フレーム部
２１、長辺部
２２、短辺部
２７ａ、２７ｂ、固定具
３０、３０Ａ、支え部材
３１、被固定具
４０、４０Ａ、４０Ｂ、台部
【図１】
0003203021.tif 000003
【図２】
0003203021.tif 000004
【図３】
0003203021.tif 000005
【図４】
0003203021.tif 000006
【図５】
0003203021.tif 000007
【図６】
0003203021.tif 000008
【図７】
0003203021.tif 000009
【図８】
0003203021.tif 000010
【図９】
0003203021.tif 000011